(57)【要約】【課題】照明装置の動作確認を短時間で行え、しかも再設定を不要とする照明制御装置、および照明装置を提供する。【解決手段】人感センサが人の存在を検知してから光源の状態を保持する時間として比較的短い第１の時間を選択可能とし、保持時間として第１の時間が選択されてから所定の時間が経過したときに、保持時間を第２の時間に切り換える。比較的短い第１の時間に基づいて光源を制御することで、動作確認を速やかに行える。また、保持時間が自動的に切り替わるため、ユーザが保持時間を再設定する必要がない。【選択図】      図１
2005011683.tif 000002
【特許請求の範囲】
【請求項１】
光源の点灯状態を制御する照明制御装置であって、
第１の時間と、前記第１の時間より長い第２の時間とを含む複数の時間から保持時間を選択する保持時間選択手段と；
前記保持時間選択手段によって前記第１の時間が保持時間として選択されてからの経過時間を計測する第１のタイマと；
人の存在を検出する人感センサと；
前記人感センサが人の存在を検出したことに基づいて、前記光源を第１の点灯状態に制御する第１の照明制御部と；
前記人感センサが人の存在を検出しなくなってからの経過時間を計測する第２のタイマと；
前記第２のタイマによって計測された経過時間が保持時間に到達したときに、前記光源を前記第１の点灯状態と異なる第２の点灯状態に制御する第２の照明制御部と；
前記第１のタイマによって計測された経過時間が所定の切換時間に到達したときに、前記保持時間を前記第２の時間に切り換える保持時間切換部と；
を具備することを特徴とする照明制御装置。
【請求項２】
光源の点灯状態を制御する照明制御装置であって、
第１の時間と、前記第１の時間より長い第２の時間とを含む複数の時間から保持時間を選択する保持時間選択手段と；
人の存在を検出する人感センサと；
前記人感センサが人の存在を検出したことに基づいて、前記光源を第１の点灯状態に制御する第１の照明制御部と；
前記人感センサが人の存在を検出しなくなってからの経過時間を計測するタイマと；
前記タイマによって計測された経過時間が保持時間に到達したときに、前記光源を前記第１の点灯状態と異なる第２の点灯状態に制御する第２の照明制御部と；
前記人感センサが、人の存在を所定回数検知したときに、前記保持時間を前記第２の時間に切り換える保持時間切換部と；
を具備することを特徴とする照明制御装置。
【請求項３】
前記保持時間選択手段によって選択された保持時間を複数記憶する保持時間記憶部；
をさらに具備することを特徴とする請求項１または請求項２のいずれか１項に記載の照明制御装置。
【請求項４】
光源と、
前記光源を点灯する点灯装置と、
請求項１または請求項２のいずれか１項に記載の光源制御装置と；
を具備することを特徴とする照明装置。
【発明の詳細な説明】
【０００１】
【発明の属する技術分野】本発明は、照明を制御する照明制御装置、および照明装置に関する。
【０００２】
【従来の技術】人の存在を検出することで点灯し人が不在になれば設定された時間の経過後に消灯する照明装置が知られている。この照明装置では、人の存在／不存在を検知して自動的に光源を点灯／消灯するため、ユーザが点灯／消灯の操作を行う必要がない（特許文献１，２参照）。
この設定時間を短くし過ぎると、人が実質的に居る場合でも誤動作で光源が消灯される可能性がある。このため、誤動作による消灯を防止するために、設定時間を例えば３０秒〜数分とある程度長くするのが通例である。
【０００３】
【特許文献１】
特開２００１−３４５０１４
【特許文献２】
特開２００３−７１８０
【０００４】
【発明が解決しようとする課題】ここで、照明装置の設置時等にその動作を確認する場合があり、この確認は例えば次の（ａ）、（ｂ）によって行える。（ａ）人感センサに人が近づく等することで、光源が点灯するのを確認する。（ｂ）人感センサに人が近づかない状態が設定時間を越えて継続することで、光源が消灯するのを確認する。
既述のように、設定時間をある程度長くすることが通例であることから、この動作確認に時間を要することとなる。このため、設定時間を通常の使用状態より短くして動作確認を行い、その後に設定時間を元に戻すことが考えられる。
しかしながら、ユーザが設定時間を戻すことを忘れる可能性がある。この場合、光源が点灯／消灯を繰り返すこととなり、光源の消費電力の増大や寿命の短縮を招く可能性がある。
本発明はこのような課題を解決するためになされたもので、照明装置の動作確認を短時間で行え、しかも再設定を不要とする照明制御装置、および照明装置を提供することを目的としている。
【０００５】
【課題を解決するための手段】Ａ．上記目的を達成するために本発明に係る照明制御装置は、光源の点灯状態を制御する照明制御装置であって、第１の時間と、前記第１の時間より長い第２の時間とを含む複数の時間から保持時間を選択する保持時間選択手段と；前記保持時間選択手段によって、前記第１の時間が保持時間として選択されてからの経過時間を計測する第１のタイマと；人の存在を検出する人感センサと；前記人感センサが人の存在を検出したことに基づいて、前記光源を第１の点灯状態に制御する第１の照明制御部と；前記人感センサが人の存在を検出しなくなってからの経過時間を計測する第２のタイマと；前記第２のタイマによって計測された経過時間が保持時間に到達したときに、前記光源を前記第１の点灯状態と異なる第２の点灯状態に制御する第２の照明制御部と；前記第１のタイマによって計測された経過時間が所定の切換時間に到達したときに、前記保持時間を前記第２の時間に切り換える保持時間切換部と；を具備することを特徴とする。
【０００６】
人感センサが人の存在を検知することによる光源の点灯、および人感センサが人の存在を検知しなくなってから保持時間が経過することによる光源の消灯を確認することで照明制御装置の動作確認を行える。ここで、保持時間選択手段によって第１の時間（第２の時間より短い）を保持時間として選択することで、この動作確認を速やかに行える。そして、保持時間選択手段によって第１の時間が保持時間として選択されてからの経過時間が所定の切換時間に到達したときに、保持時間が第２の時間に切り換えられる。このように保持時間が自動的に切り替わることで、ユーザが保持時間を第２の時間に再設定する必要がなくなる。
【０００７】
Ｂ．本発明に係る照明制御装置は、光源の点灯状態を制御する照明制御装置であって、第１の時間と、前記第１の時間より長い第２の時間とを含む複数の時間から保持時間を選択する保持時間選択手段と；人の存在を検出する人感センサと；前記人感センサが人の存在を検出したことに基づいて、前記光源を第１の点灯状態に制御する第１の照明制御部と；前記人感センサが人の存在を検出しなくなってからの経過時間を計測するタイマと；前記タイマによって計測された経過時間が保持時間に到達したときに、前記光源を前記第１の点灯状態と異なる第２の点灯状態に制御する第２の照明制御部と；前記人感センサが、人の存在を所定回数検知したときに、前記保持時間を前記第２の時間に切り換える保持時間切換部と；を具備することを特徴とする。
【０００８】
保持時間選択手段によって第１の時間（第２の時間より短い）を保持時間として選択することで、照明制御装置の動作確認を速やかに行える。そして、人感センサが人の存在を所定回数検知したときに、保持時間が第２の時間に切り換えられる。このように保持時間が自動的に切り替わることで、ユーザが保持時間を第２の時間に再設定する必要がなくなる。
【０００９】
ここで、照明制御装置が、前記保持時間選択手段によって選択された保持時間を複数記憶する保持時間記憶部；をさらに具備してもよい。
保持時間記憶部に保持時間の選択の履歴を記憶させることができ、現在選択されているより以前に選択された保持時間を適用することが容易に行える。
【００１０】
Ｃ．本発明に係る照明装置は、光源と、前記光源を点灯する点灯装置と、Ａ．またはＢ．のいずれかに記載の光源制御装置と；を具備することを特徴とする。
光源制御装置が、保持時間の切換を自動的に行うことで、ユーザが照明装置の動作確認後に保持時間を再設定する必要がなくなる。
【００１１】
【発明の実施の形態】以下、図面を参照して、本発明の実施の形態を詳細に説明する。
図１は本発明の一実施形態に係る照明装置１０の構成を示すブロック図である。図１に示すように、照明装置１０は、光源２０，点灯装置３０，照明制御装置４０を有する。
【００１２】
光源２０は、照明のためのランプ例えば蛍光灯である。
点灯装置３０は光源２０の点灯、点灯状態の維持、および消灯を行うための装置である。点灯装置３０は光源２０が蛍光灯の場合には点灯管（グローランプ等）を有し、点灯時に蛍光灯のフィラメントの予備加熱、放電開始のための高電圧印加を行う。
【００１３】
照明制御装置４０は、点灯装置３０によって点灯された光源２０の点灯状態の制御、および消灯を行う。
照明制御装置４０は、人感センサ４１、保持タイマ４２，点灯状態制御部４３，保持時間記憶手段４４，保持時間選択手段４５，切換タイマ４６，設定切換手段４７を有する。
【００１４】
人感センサ４１は、人（人体）の存在、不存在を検出し、検出結果を出力するセンサであり、検知に例えば赤外線（熱線）や超音波を利用できる。赤外線方式では、人体から発せられる微量の赤外線によって人間の存在を検出できる。超音波方式では超音波を照射し、人体で反射された超音波によって人間の存在を検出できる。人感センサ４１が人の存在を検出することで、光源２０の点灯、点灯状態の維持等が行われる。
【００１５】
人感センサ４１では、赤外線や反射超音波の有無のみでなく、その変化を測定することで、人体の検出精度を向上することができる。例えば、人感センサ４１として複数のレンズ、これら複数のレンズに対応する赤外線検出素子（例えば、焦電素子）を用いることができる。このとき、各赤外線検出素子での赤外線の測定量の変動によって人（赤外線の発生源）の移動を検出できる。即ち、人の移動によって、いずれかの赤外線検出素子での赤外線の測定量が変動し、この変動をパルスとして出力することで人の移動を検出できる。
【００１６】
この方式（「変動量測定」方式という）では人が完全に静止している場合にはその検出が困難であるが、人間は活動している限り、完全な静止状態を長時間継続することはないのが通例である。このため、測定量の変動を検出することで、人間以外の赤外線発生源（例えば、ストーブ）がある場合でも人間の存在を高精度で検出できる。なお、この変動量測定方式は、超音波方式等でも同様に用いることが可能である。
【００１７】
保持タイマ４２は、人感センサ４１が人の存在を検知してから経過した時間を計測するためのタイマである。この保持タイマ４２は、人感センサ４１が人の存在を検知する度にリセットされ、計測を再開することから、人の存在を検知しなくなってからの経過時間を実質的に計測することになる。
保持タイマ４２で計時された経過時間が保持時間記憶手段４４に記憶された保持時間に達するまで光源２０の点灯状態が維持され、この経過時間が保持時間に達すると光源２０の消灯（または、光源２０の光量の低下）が行われる。
【００１８】
点灯状態制御部４３は、点灯装置３０に光源２０の点灯、消灯（または、光源２０の光量の低下）を指示するものであり、第１、第２の照明制御部として機能する。例えば、人感センサ４１が人の存在の検知したときに、点灯装置３０への点灯の指示を行う。また、保持タイマ４２で計時された経過時間が保持時間記憶手段４４に記憶された保持時間に達したときに、点灯装置３０に光源２０の消灯（または、光源２０の光量の低下）を指示する。
【００１９】
保持時間記憶手段４４は、例えば、半導体メモリ（ＲＡＭ：Ｒａｎｄｏｍ  Ａｃｃｅｓｓ  Ｍｅｍｏｒｙ、フラッシュメモリ：Ｆｌａｓｈ  Ｍｅｍｏｒｙ等）から構成され、保持時間選択手段４５で選択された保持時間を記憶する。保持時間記憶手段４４にフラッシュメモリ等の不揮発性メモリを用いると、照明装置１０全体が電源から切り離されたとき（例えば、照明装置１０のメインスイッチをオフとしたとき）でも保持時間を記憶しておくことができる。
【００２０】
保持時間記憶手段４４は、複数の保持時間を記憶することができる。保持時間選択手段４５で第１の保持時間が選択され、その後に第２の保持時間が選択された場合には、保持時間記憶手段４４は最新の第２の保持時間に加えてその前に選択された第１の保持時間を記憶する。
なお、保持時間記憶手段４４が記憶するのは、現在設定されている（最新の）保持時間より１つ前の保持時間を記憶すれば足りるが、それ以前に選択された保持時間を記憶してもよい。
【００２１】
保持時間記憶手段４４は、保持時間と共に、保持時間を記憶した順番（記憶順序情報）を記憶することができる。なお、この記憶順序情報はそれ自体を独自に記憶しておく必要はなく、例えば、保持時間が記憶されたメモリ領域のアドレス等から判別することも可能である。例えば、アドレス０を最新の保持時間、アドレス１を前の保持時間として、保持時間が更新されたときには、アドレス０に記憶された保持時間をアドレス１に移して、新たな保持時間をアドレス０に記憶してもよい。
【００２２】
保持時間記憶手段４４は、保持時間に加えて、記憶された保持時間の内でどの保持時間を優先的に適用するかを表す優先情報を記憶してもよい。このようにすることで、記憶順序と関わりなく、どの保持時間を優先的に適用するかを決定することを容易に行える。
【００２３】
保持時間選択手段４５は、ユーザが選択した保持時間を入力するためのものであり、保持時間の選択が可能で有れば種々の手法で実現できる。例えば、スライドスイッチやロータリースイッチ等の切換スイッチを利用して複数の保持時間のいずれかを選択できる。また、ボリューム（可変抵抗）を用い、事実上連続的に保持時間を選択することもできる。この場合には、Ａ／Ｄコンバータを用いてボリュームの位置に対応して定まる抵抗値をディジタル値に変換して保持時間とすることができる。
【００２４】
保持時間として、例えば、５秒、３分、６分を選択できる。この内、「５秒」は照明装置１０の動作確認のための保持時間であり、この保持時間が設定されたときに照明装置１０は動作確認モードとなる。「３分」、「６分」は、照明装置１０の通常動作のための保持時間であり、この保持時間が設定されたときに照明装置１０は通常動作モードとなる。
このように保持時間選択手段４５で選択可能な保持時間は、動作確認のための比較的短い保持時間と、通常動作のための比較的長い保持時間に区分できる。動作確認モードでは動作確認を速やかに行うために、通常動作モードでは誤動作で（実質的に人が居るのに）光源２０が消灯するのを防止するために、それぞれ動作モードで保持時間の長短が異なっている。
なお、動作確認モードと通常動作モードでは、この保持時間を除き、照明装置１０の動作状態を実質的に同一とすることができる。
【００２５】
保持時間選択手段４５によって保持時間の情報が入力されたとき（例えば、切換スイッチが操作されたとき）には、選択された保持時間が保持時間記憶手段４４に記憶される。
このとき選択された保持時間が動作確認モード用の場合には、切換タイマ４６による時間の計測が開始される。
【００２６】
切換タイマ４６は、保持時間選択手段４５によって選択された保持時間が動作確認モード用である場合に経過時間の計測を開始する。即ち、切換タイマ４６は、動作確認モードが継続している時間を計測する。
【００２７】
設定切換手段４７は、切換タイマ４６により計測された時間が所定の切換時間（例えば、１０分）に達したときに、動作確認モードを解除して照明装置１０の状態を通常動作モードに切り換える。
この切換は現在設定されている保持時間を切り換えることによって行える。最新の保持時間（動作確認モード用の保持時間）に換えて、その１つ前に選択された保持時間（通常動作モード用の保持時間）が適用されるようにする。即ち、設定切換手段４７は保持時間切換部として機能する。
【００２８】
この保持時間の切換は次に示すように種々の手法を用いることができる。
（１）設定切換手段４７がフラグ（モード切替フラグ）を立てることとしてもよい。モード切替フラグは、例えば、０ＦＦ：モード切替を行わない状態、ＯＮ：モード切替を行う状態を表す情報であり、設定切換手段４７によってＯＦＦからＯＮへと変更される。このフラグがＯＮのときに、１つ前の保持時間を適用することとする。
（２）設定切換手段４７が保持時間記憶手段４４に記憶された保持時間の優先順位を変更する。即ち、記憶された前の保持時間の優先順位を最新の保持時間より高くする。
【００２９】
（照明装置１０の動作）  続いて、図を参照してこの照明装置１０の動作について説明する。図２は、照明装置１０の動作手順の一例を表すフロー図である。以下、図２に基づき照明装置１０の動作を説明する。
（１）保持時間の設定（ステップＳ１１）
保持時間選択手段４５によって保持時間が入力されることで、保持時間が設定される。入力された保持時間は保持時間記憶手段４４に記憶される。
（２）設定の確認（ステップＳ１２）
ステップＳ１１で入力された保持時間が通常動作モード、動作確認モードのいずれに対応するかが判断される。この判断は、選択された保持時間の長さに基づいて行える。
【００３０】
（３）通常動作モードでの動作（ステップＳ２１〜Ｓ２５）
ステップＳ１２で入力された保持時間が通常動作モードに対応すると判断された場合には次のように照明装置１０が通常動作モードで動作する。
【００３１】
１）人感センサ４１が人の存在を検知したときに（ステップＳ２１）保持タイマ４２による経過時間の計測が開始され（ステップＳ２２）、点灯状態制御部４３が光源２０を第１の点灯状態とする（ステップＳ２３）。この第１の点灯状態は光源２０の所定の点灯状態を意味する。従って、光源２０が非点灯状態であったときには、ステップＳ２３で光源２０が点灯される。なお、ステップＳ２２、Ｓ２３の順序は逆でも良く、実質的に同時に行うことができる。
なお、人感センサ４１が人の存在を検知しないときには（ステップＳ２１）、ステップＳ２２、Ｓ２３を経由せず、光源２０はそれ以前の状態に保たれる（例えば、非点灯状態が継続する）。
【００３２】
２）その後、保持タイマ４２で計測された経過時間が保持時間記憶手段４４で記憶された最新の保持時間（あるいは優先順位の高い保持時間）に達しているか否かが判断される（ステップＳ２４）。経過時間が保持時間に達したら、点灯状態制御部４３が光源２０を第２の点灯状態とする（ステップＳ２５）。この第２の点灯状態は、第１の点灯状態よりも光源２０が暗い状態を意味し、場合により完全な非点灯状態としても差し支えない。経過時間が保持時間に達していないなら、光源２０はそれ以前の状態（第１、第２の点灯状態）をそのまま保持する。
【００３３】
３）このようにして、通常動作モードにおいて、人感センサ４１が人の存在を検知することで光源２０が第１の点灯状態とされる。そして、設定された保持時間を経過する前に人感センサ４１が人の存在を検知したときには、第１の点灯状態が維持される。一方、設定された保持時間を経過しても人感センサ４１が人の存在を検知しないときには、光源２０が第１の点灯状態よりも暗い第２の点灯状態に変更される。
この結果、ユーザがスイッチ等を操作しなくても、人の存在／非存在に応じて光源２０の点灯状態が制御され、照明装置１０による電力の浪費が防止される。
【００３４】
（４）動作確認モードでの動作（ステップＳ３１〜Ｓ３８）
ステップＳ１２で入力された保持時間が動作確認モードに対応すると判断された場合には、次のように照明装置１０が動作確認モードで動作する。
この動作確認モードは、ステップＳ３１、Ｓ３７、Ｓ３８を有する点が通常動作モードと異なる。他のステップＳ３２〜Ｓ３６はそれぞれ通常動作モードのステップＳ２１〜Ｓ２５に対応する。
【００３５】
１）ステップＳ３１において、切換タイマ４６による時間の計時が開始される。
２）ステップＳ３２〜Ｓ３６において、通常動作モードよりも短い保持時間が設定されている以外は、通常動作モードと同様の動作が行われる。即ち、人感センサ４１が人の存在を検知することで光源２０が第１の点灯状態とされる。設定された保持時間を経過する前に人感センサ４１が人の存在を検知したときには、第１の点灯状態が維持される。一方、設定された保持時間を経過しても人感センサ４１が人の存在を検知しないときには、光源２０が第１の点灯状態よりも暗い第２の点灯状態へと変更される。
動作確認モードでは、通常動作モードより短い保持時間が設定されていることで、照明装置１０の動作確認を短時間で行える。なお、この間も切換タイマ４６による計時が並行して行われる。
【００３６】
３）ステップＳ３７では、切換タイマ４６により計測された経過時間が所定の時間に達したか否かが判断される。そして、この判断がＹｅｓだと照明装置１０の動作モードが動作確認モードから通常動作モードへと変更（復帰）される（ステップＳ３８）。一方、この判断がＮｏなら動作確認モードが継続される。
ステップＳ３８で動作確認モードから通常動作モードへと復帰したときには、動作確認モードに設定される直前に設定された保持時間が適用される。既述のようにこの適用は、モード切替フラグを立てる（ＯＦＦからＯＮへの変更）、優先順位の設定のいずれで行っても差し支えない。
【００３７】
（その他の実施形態）  本発明の実施形態は上記の実施形態に限られず拡張、変更可能であり、拡張、変更した実施形態も本発明の技術的範囲に含まれる。
【００３８】
（１）上記実施形態ではステップＳ３７において経過時間に基づいてモードの切換を行っているが、これに換えて他の条件を適用することができる。例えば、人感センサ４１が人の存在を所定回数検知したことを条件にモードを切り換えてもよい。
人感センサ４１が前述の変動量測定方式の場合には、人の存在（正確には赤外放射源の移動）を検知する度にパルスが出力される。このため、変動量測定方式の人感センサ４１から出力されたパルスの個数を積算し、これを所定の数と比較することで、この方式を実行できる。このときには、切換タイマ４６に換えてパルスのカウンタを用い、ステップＳ３１でこのカウンタのリセット、ステップＳ３７でこのカウンタで積算されたパルス数と所定の数との比較を行う。
また、上記実施形態での経過時間の条件と人の存在の検知回数の条件の双方を共に満足したときに、動作確認モードから通常動作モードに復帰するようにしてもよい。
【００３９】
（２）上記実施形態では、保持時間選択手段４５で表した保持時間が動作確認モード用に設定したままであることを許容する。例えば、保持時間選択手段４５が動作確認モードに対応する「５秒」に設定されたままとなる。
この状態で、照明装置１０全体の電源が切断されると、照明装置１０が次回の動作開始時に動作確認モードで立ち上がる可能性がある。
【００４０】
ここで、保持時間選択手段４５が動作確認モードに設定されていても、動作確認モードで立ち上がらないようにすることも可能である。これは、保持時間記憶手段４４をフラッシュメモリ等の不揮発性メモリで構成することで行える。即ち、照明装置１０の動作停止時の状態を不揮発性メモリに保持しておき、次の動作開始時に停止時の状態が再現されるようにすれば、動作確認モードを経由することなく通常動作モードを実行できる。
もし、動作開始時に動作確認を行いたければ、動作確認モードに切り換えた直後に照明装置１０の動作を停止すればよい。
【００４１】
【発明の効果】以上説明したように、本発明によれば照明装置の動作確認を短時間で行え、しかも再設定を不要とする照明制御装置、および照明装置を提供することができる。
請求項１記載の発明では、保持時間選択手段によって第１の時間が保持時間として選択されてからの経過時間が所定の切換時間に到達したときに、保持時間が第２の時間に切り換えられる。
請求項２記載の発明では、人感センサが人の存在を所定回数検知したときに、保持時間が第２の時間に切り換えられる。
請求項３記載の発明では、保持時間記憶部に保持時間の選択の履歴を記憶させることができ、現在選択されているより以前に選択された保持時間を適用することが容易に行える。
請求項４記載の発明では、光源制御装置が保持時間の切換を自動的に行うことで、ユーザが照明装置の動作確認後に保持時間を再設定する必要がなくなる。
【図面の簡単な説明】
【図１】本発明の一実施形態に係る照明装置の構成を示すブロック図である。
【図２】照明装置の動作手順の一例を表すフロー図である。
【符号の説明】
１０…照明装置、  ２０…光源、  ３０…点灯装置、  ４０…照明制御装置、４１…人感センサ、  ４２…保持タイマ、  ４３…点灯状態制御部、  ４４…保持時間記憶手段、  ４５…保持時間選択手段、  ４６…切換タイマ、  ４７…設定切換手段
【図１】
2005011683.tif 000003
【図２】
2005011683.tif 000004